【事件の表示】
　特許第３０９８２１５号「ビデオ記録装置のためのコントロールシステム」の請求項１ないし６、９ないし１３に係る特許に対する特許異議の申立てについて、次のとおり決定する。
【結　論】
　特許第３０９８２１５号の請求項１ないし６、９ないし１３に係る特許を維持する。
【理　由】
１．手続の経緯
　特許第３０９８２１５号の発明についての出願は、平成３年９月１０日（優先権主張１９９０年９月１０日、米国）を国際出願日とする特願平３−５１６６９１号の一部を平成９年１１月６日に新たな特許出願としたものであって、平成１２年８月１１日にその特許権の設定登録がされ、その後、小野浩一（以下、「申立人」という）より特許異議の申し立てがなされたものである。
　
２．申し立ての理由の概要
　申立人は、請求項１ないし６，９ないし１３に係る発明は、甲第１号証（特開昭６２−１８０５７８号公報）、甲第２号証（特開平２−９１８７５号公報）及び甲第３号証（特開昭６１−２０２８２号公報）に記載された発明に基づいて当業者が容易に発明できたものであり、特許法第２９条第２項の規定により特許を受けることができないものであるから、特許を取り消すべき旨主張している。
　
３．本件の請求項１、９に係る発明
　特許３０９８２１５号の請求項１，９に係る発明（以下、「本件発明１」「本件発明９」という）は、その特許請求の範囲に記載された次の事項により特定されるとおりのものである。
「【請求項１】　ビデオ記録装置のためのコントロールシステムであって、前記ビデオ記録装置の起動及び停止をし、記録媒体にビデオ情報を記録し、記録媒体に記録されたビデオ情報を再生するためのコントローラーと、記録媒体から分離されており且つ前記コントローラーに結合されていて、記録媒体に記録されたビデオ資料のインデックスを記録するためのシステムメモリとを含み、前記インデックスは記録媒体に記録された番組を識別するための番組識別子を含み、前記記録媒体はデータチャンネルを含んでおり、前記コントロールシステムは、前記コントローラーと前記システムメモリに結合されており、ビデオ記録装置で前記記録媒体に記録された番組を識別するための番組識別子を前記データチャンネル内に含ませる手段を有する前記ビデオ記録装置のためのコントロールシステムにおいて、ビデオ記録装置に装填された前記記録媒体上の番組識別子を、前記インデックス内の番組識別子と比較し、且つデータチャンネル上の番組識別子と前記システムメモリ内のインデックス中の番組識別子との間の合致する突き合わせに基づいて、前記装填された記録媒体のインデックスを表示する手段が含まれており、この手段が、前記システムメモリに結合され且つビデオ記録装置に結合される様に適合されていることを特徴とするビデオ記録装置のためのコントロールシステム。」
「【請求項９】　ビデオ記録装置を制御する方法であって、記録媒体に記録された番組を識別するための番組識別子を含むインデックスを、前記記録媒体から分離されているシステムメモリへ記憶し、ビデオ記録装置で記録媒体に記録された番組を識別するための番組識別子を、前記記録媒体に含まれるデータチャンネル内に含ませ、ビデオ記録装置に装填された記録媒体上の番組識別子と前記システムメモリのインデックス中の番組識別子とを比較し、データチャンネル上の番組識別子と前記システムメモリ内のインデックス中の番組識別子との間の合致する突き合わせに基づいて、前記装填された記録媒体のインデックスを表示することを特徴とする方法。」
　
４．刊行物等
　申立人が証拠として提示した刊行物には、それぞれ、以下のような発明が記載されている。（なお、かぎ括弧書き［］は、本件発明の対応する事項である。）
（１）刊行物１：特開昭６２−１８０５７８号公報（甲第１号証）
　テープ６［記録媒体］に記録されているプログラム［ビデオ情報］のランダムアクセス情報［インデックス］を、テープレコーダ本体９［ビデオ記録装置］に装着されたメモリカード１１［システムメモリ］に記録し、テープカセット７にはテープ番号が記されたバーコード８が貼ってあり、テープカセット７装着時にテープレコーダ本体９がバーコード８のテープ番号を読み取り、そのテープ番号のランダムアクセス情報をメモリカード１１から読み出して表示する、テープレコーダ。
　
（２）刊行物２：特開平２−９１８７５号公報（甲第２号証）
　テープ１１［記録媒体］に記録される番組［ビデオ情報］毎に、そのタイトル、放送日時、放送時間等の情報［番組識別子］をコントロールトラック［データチャンネル］に記録し、番組を記録したテープ１１を利用する際にその番組のタイトル、記録日時などの情報を表示する、記録装置。
　
（３）刊行物３：特開昭６１−２０２８２号公報（甲第３号証）
　ディスクの識別子と好みの選択を対応づけて記憶する記憶手段を有し、ディスクの再生前にディスクの識別子を識別し、記憶手段が再生するディスクの識別子が含む場合には対応する好みの選択で再生し、記憶手段が再生するディスクの識別子を含まない場合には、識別子及び制御パネルを介して行われた選択を随時記憶手段に好みの選択として書き込む、情報再生装置。
　
５．対比、判断
　本件発明１と刊行物１〜３記載の発明を対比すると、刊行物１〜３記載の発明は、本件発明１を特定する事項である「ビデオ記録装置に装填された前記記録媒体上の番組識別子を、前記インデックス内の番組識別子と比較し、且つデータチャンネル上の番組識別子と前記システムメモリ内のインデックス中の番組識別子との間の合致する突き合わせに基づいて、前記装填された記録媒体のインデックスを表示する手段」を備えておらず、当該事項により本件発明１は、記録媒体のインデックスの表示を行う際に「オンテープメモリか、ビデオカセットのいかなる形の追加も必要としない。」（本件特許明細書の発明の詳細な説明第４２段落）という作用効果を奏するから、本件発明１が刊行物１〜３に記載された発明から容易に発明をすることができたものとは言えない。
　
　また、本件発明９と刊行物１〜３記載の発明を対比すると、刊行物１〜３記載の発明は、本件発明９を特定する事項である「ビデオ記録装置に装填された記録媒体上の番組識別子と前記システムメモリのインデックス中の番組識別子とを比較し、データチャンネル上の番組識別子と前記システムメモリ内のインデックス中の番組識別子との間の合致する突き合わせに基づいて、前記装填された記録媒体のインデックスを表示」する事項を備えておらず、上記本件発明１と同様の理由により、本件発明９が刊行物１〜３に記載された発明から容易に発明をすることができたものとは言えない。
　
６．本件の請求項２ないし６，１０ないし１３に係る発明
　特許３０９８２１５号の請求項２ないし６，１０ないし１３に係る発明は、その特許請求の範囲に記載された事項により特定されるとおりのものである。
　そして、本件の請求項２ないし６に係る発明は、本件発明１を引用しており、本件の請求項１０ないし１３に係る発明は、本件発明９を引用している。
　したがって、本件の請求項２ないし６，１０ないし１３に係る発明は、本件発明１，本件発明９と同じ理由により、刊行物１〜３に記載された発明から容易に発明をすることができたものとは言えない。
　
７．むすび
　以上のとおりであるから、特許異議申立の理由及び証拠によっては、本件請求項１ないし６，９ないし１３に係る特許を取り消すことができない。
　また、他に本件請求項１ないし６，９ないし１３に係る特許を取り消すべき理由を発見しない。
　よって、結論のとおり審決する。
【異議決定日】
平成１３年７月２日（２００１．７．２）